(57)【要約】【目的】人体に懸吊したり背負ったり又は両手で保持して作業する人体に負担の多い作業を少しでも軽減して作業性を向上させる目的で浮揚する刈払機である。【構成】ベース５に集約的にエンジン１、浮揚羽根１２、ガード１３等回転して浮揚力を発生させる機構と従来の刈払をする刈払刃２２を回転稼働させる機構を備え共に一本のハンドル６上のレバーで操作出来る構成である。又、部品の交換によって散粒機、噴霧器にも兼用出来るものである。【特許請求の範囲】
【請求項１】
エンジン１をベース５に固定し、そのエンジン１の出力軸上に設けられたＶプウリー４から伝導して浮揚するための羽根１２を回転させ下部に吊り下げている刈払刃２２を浮揚させる浮揚した刈払刃２２は出力軸上４と併設されているＶプウリー３より動力をＶベルト１６にて刈払刃のＶプウリー１５に伝導されて回転し目的たる刈払を浮揚した状態で行え人体への負担を軽くする事の出来る浮揚する刈払機
【請求項２】
前記刈払機について、斜面の角度に適応して刈払の出来る様に刈払刃２２の角度を調節する機構、即ちハンドル６上の角度調整レバー２５の操作によって支持具１９を介して刈払刃２２の外管２１の角度を変化させ斜面に適合して作業出来る浮揚する刈払機
【請求項３】
浮揚する刈払機としては勿論、部品３０、３１，３２，３３の交換によって散粉機、噴霧機等も吊り下げて刈払機同様に人体の負担を軽くして作業の出来る他の作業も兼用することの出来る浮揚する刈払機
【発明の詳細な説明】
【０００１】
【発明の属する技術分野】この発明は刈払機等、主に農業関係の作業に於いて人体への負担を軽減する技術に関するものである。
【０００２】
【従来の技術】従来は人体に懸吊したり手で持って刈払機重量を支え作業して来たのが一般的である。
【０００３】
【発明が解決しようとする課題】従来は刈払機を背負ったり肩から吊って作業してきたから人体への負担は大変なものであった。そこで刈払機を浮揚させて軽くハンドル１本で操作しようとするものである。
【０００４】この発明は従来技術の不都合及び人体への負担を考えたとき刈払機本体を浮揚させる機構を構成し作動させて作業の軽減を計ることの出来る浮揚する刈払機を提供するものである。
【０００５】
【発明が解決するための手段】上記目的を達成するためにこの発明の浮揚する刈払機はベース５上にエンジン１を設置し、出力軸上に３，４の２つのＶプウリーを具備し、４のＶプウリーとＶプウリー８をベルト９で伝導し１２なる羽根の回転力によって浮揚を得るものでその調整はハンドル６上の２３なるエンジンガバナーと連結されているワイヤー２４によって行えＶベルトは、縦動きから横動きに変換するのでテンションプウリー１０を設けてある。浮揚羽根には３枚羽根でガードの中で安全に回転し浮揚力を発生するものである。又４と同軸上の３なるＶプウリーの動力はＶベルト１６で刈払刃のＶプウリー１５に伝えられ刈払刃が回転するのである。Ｖベルトにはテンションプウリー１７が介在して回転の円滑さを助けている。刈払刃のシャフトは外管によって保護回転するが斜面の角度に順応するための角度調整レバー２５がありワイヤー２６の動きによって２１の角度はエンジンに対して垂直でなくなり斜面に適合するのである。
【０００６】前記浮揚する刈払機は、人体に負担をかけることなく機械を操作出来、初期の目的たる刈払が自由に出来るのである。
【０００７】
【発明の実施の形態】ベース５にエンジン１を設定しそのエンジン１の出力を２ヶのＶプウリーにより動力を取り出し２ヶのＶプウリーの１つ４で浮揚機構の羽根を回転させもう１つのプウリー３で刈払刃を回転させるものでベース５から出ているハンドル６の手元にエンジンの回転を調整するガバナーレバーが有りエンジン１回転を調整している。又、同じハンドル６の上にもう１つの角度調整レバーが設けられ土地の形状に合わした角度を得られる様になっている。
【０００８】浮揚する力は羽根のピッチによって調整され懸吊する重量より大きいものである。回転数を増加させると浮揚力は増大し懸吊物を容易に吊すことが出来る。刈払刃は角度調整レバーによって斜面等の角度に調整することが可能であり人体への負担を軽減している。ベース５上のエンジン１はスターター２によって起動され出力軸上のＶプウリー４で浮揚力を得るための羽根１２を回転させ３なるＶプウリーで刈払刃を回転させて刈払を行うのである。エンジン１はベース５から出ているハンドル６に具備したエンジンガバナーレバーで調整され浮揚を調整する６上のもう１つのレバー２５は刈払刃の角度を調整するものである。
【０００９】
【実施例】以下にこの発明の浮揚する刈払機の実施の一例について図面を参照に説明する。
【００１０】
図１から至図３において、１はエンジン、２はエンジンのスターター、出力軸上の３，４はＶプウリーで４は浮揚力を発生させる羽根１２にテンションプウリー１０を経て羽根１２のＶプウリー８にＶベルト９で伝導され羽根にはガイドネット１３の内部で回転、浮揚力を発生させるのである。７は、テンションプウリー１０の支持台である。又、Ｖプウリー３からテンショウンプウリー１７を経てＶプウリー１５をＶベルト１６で回転させる。Ｖプウリー１５連結する刈払刃のシャフトは外管２１の内にあり先端に刈払刃２２を設けてある。外管２１は刈払刃の角度を調節するための突点２０がありハンドル６上のレバー２５とワイヤー２６によって連絡され上地の形状に適応するものである。Ｖプウリー１５の内部には遠心クラッチを内蔵し、エンジンの回転の増減によって回転したり停止したりするこの事は格納時、起動時の危険防止に役立つもので且つ過負荷の防止もあわせ得る事の出来るものである。
【００１１】
図４、図５に於いてはハンドル６、その上に具備されたレバー２５，２３、ワイヤー２４，２６を表示したものである。又ガイドネット１３、羽根の中心軸１１をも表示している。羽根が回転するためのＶベルト７が羽根のＶプウリー８に掛けられ、回転が得られる。１２は浮揚するための羽根で図示する如く３枚羽根である。
【００１２】
図５上の表示は下面より、のぞく状態でありエンジン１、スターター２，Ｖプウリー３，４も配置の状況が鮮明である。
【００１３】
図６及び図７は浮揚する刈払機のスタンドで２７の上枠上に鎮座するものでこの台の上で起動したり停止したりする。機械の保存、危険事故等の防止に役だっているもので２８は３本の脚、３０は脚２８の喰込みと転倒を防止しているベースのものである。
【００１４】
図８は刈払刃２２を解放し１８なるユニバーサルジョイントに別の金具３１をセットする。この３１の台座に噴霧器、散粒機３２を固定して３２のＶプウリー３３に刈払刃を回転させていたＶベルト１７を直線的にけんがし回転力を得て、次なる兼用の目的を達成するものである。
【００１５】前記浮揚の回転羽根は金属性、樹脂製の区別はなく且つ羽根の枚数も３枚にこだわらない。
【００１６】刈払刃を浮揚するに羽根の回転によって浮揚力を求めているが吊り上げ重量を充力に吊り揚げる事の出来るガス体の容器でもかまわない。
【００１７】ハンドル６は伸縮性をもたし遠方操作することも可能である。
【００１８】
【発明の効果】この発明によれば人体に背負ったり吊り下げたりして行って来た刈払作業が人体の負担を軽くして行うことが出来、作業能率がいちじるしく向上するものである。
【００１９】又、１部の部品を交換することによって散粒機、噴霧器をセット出来、これ又人体への負担を軽減して作業能率の向上に役立つものである。浮揚することで重量的な負担のない作業は、多くの他の兼業を促進するものと考える。
【図面の簡単な説明】
【図１】この発明のエンジン側から見た側面図である。
【図２】この発明のエンジンのスターター側から見た側面図である。
【図３】この発明のハンドル側から見た側面図である。
【図４】この発明の上から見た平面図である。
【図５】この発明の下から見た平面図である。
【図６】この発明の浮揚する刈払機の格納台で正面図である。
【図７】この発明の浮揚する刈払機の格納台の平面図である。
【図８】この発明の兼用部品を表示した側面図である。
【符号の説明】
１　エンジン
２　スターター
３　刈払用Ｖプウリー
４　浮揚用Ｖプウリー
５　ベース台
６　操作ハンドル
７　テンションベース
８　Ｖプウリー
９　Ｖベルト
１０　テンションプウリー
１１　シャフト
１２　羽根
１３　ガード
１４　刈払側ベース
１５　　〃　Ｖプウリー
１６　　〃　Ｖベルト
１７　　〃　テンション
１８　ユニバーサルジョイント
１９　操作ワイヤー支持具固定側
２０　　　　同上　　　　移動側
２１　シャフトの外管
２２　刈払刃
２３　エンジンガバナーレバー
２４　エンジン用ワイヤー
２５　角度調整用レバー
２６　角度調整用ワイヤー
２７　格納用台の上枠
２８　　　〃　　の脚
２９　　　〃　　の張り具
３０　肢間ベース金具
３１　吊金具
３２　散粒機又は噴霧器
３３　Ｖプウリー
【図１】
2004016230.tif 000002
【図２】
2004016230.tif 000003
【図３】
2004016230.tif 000004
【図４】
2004016230.tif 000005
【図５】
2004016230.tif 000006
【図６】
2004016230.tif 000007
【図７】
2004016230.tif 000008
【図８】
2004016230.tif 000009